(57)【要約】      （修正有）【課題】作業者が腰を屈めることなく、すなわち作業者がほぼ直立姿勢を保持したまま作業者の足の踏み込み動作のみで土起こし刃の突き刺し作業及び土起こし作業を容易に行えることを可能にするとともに、保管の際に余分な収納空間を占有しない土起こし器具を提供する。【解決手段】柄部２０と、該柄部２０の先端に回動自在に軸支される土起こし部１０と、からなり、土起こし部１０は、支持杆１１と、支持杆１１の下方に櫛状に配設される複数の土起こし刃１２、１２と、該土起こし刃１２、１２の反対側の支持杆１１上方に形成された第一足踏部１３と、該第一足踏部１３の上方に配設された第二足踏部１４と、回転軸２１、２１に軸支される軸支部１５、１５と、を備えることを特徴とする。【選択図】図１
2018019601.tif 000002
【特許請求の範囲】
【請求項１】
柄部と、該柄部の下方に設けられた回転軸に回動自在に軸支する土起こし部と、からなり、前記土起こし部は、支持杆と、該支持杆の下方に櫛状に配設された複数の土起こし刃と、該支持杆の上方に形成された第一足踏部と、該第一足踏部の上方に配設された第二足踏部と、前記柄部の前記回転軸に軸支する軸支部を有すること、を特徴とする土起こし器具。
【請求項２】
土起こし刃の先端側は、先細り形状であり、土起こし部の回動方向に対して傾斜面を有することを特徴とする請求項１記載の土起こし器具。
【請求項３】
第−足踏部は、支持杆上部の平面形状からなることを特徴とする請求項１に記載の土起こし器具。
【請求項４】
第二足踏部は、断面略円形状のパイプからなることを特徴とする請求項１に記載の土起こし器具。
【請求項５】
柄部と第二足踏部とは、同程度の幅を有する水平部と、両垂直部と、からなる略コ字状に形成され、前記柄部の前記両垂直部と前記第二足踏部の前記両垂直部とが前後方向に並列して当接し、土起こし部が前記柄部に対して前後方向に回動するように軸支することを特徴とする請求項１又は４のいずれか一項に記載の土起こし器具。
【請求項６】
前記柄部と前記土起こし部とに連結するバネを備え、該バネは、前記柄部の両垂直部と前記土起こし部の両垂直部とが前後方向に並列して当接する状態に復帰させる方向に付勢力を有することを特徴とする請求項５に記載の土起こし器具。
【発明の詳細な説明】
【技術分野】
【０００１】
本発明は、畑を耕すための農作業具の一つである手動式の土起こし器具に関する。
【背景技術】
【０００２】
従来、土起こし器具は、地面に突き刺す刃部を有する土起こし部と、持ち手となる長柄部と、から構成され、土起こし部を作業者の足で踏み込んで地面に突き刺し、長柄部を作業者の手で地面に倒すようにして土起こし部で土を起こすものである。
【０００３】
例えば特許文献１及び２記載の発明によれば、この土起こし作業をより効率的に行うために、土起こし部（「刺突部１（特許文献１）」、「土起こし刃４（特許文献２）」）と長柄部との間に、長柄部の中心軸より外側に突出した足踏部（「足踏横杆３２（特許文献１）」、「足踏み部３（特許文献２）」）を設け、作業者の足でその足踏部を地面に押えることで支点とし、容易に土の掘り起こしをすることが可能な土起こし器具が提案されている。
【先行技術文献】
【特許文献】
【０００４】
【特許文献１】特開２０１２−１６５６９８号公報
【特許文献２】特開２０１４−３６６００号公報
【発明の概要】
【発明が解決しようとする課題】
【０００５】
しかしながら、この土起こし作業において、足踏部を作業者の足で地面に押さえると同時に、長柄部を作業者の手によって地面に倒すよう腰を屈めながら回動させて土起こし作業を行う。そのため、この土起こし器具による土起こし作業において、相応の腕力及び脚力及び腰を屈める姿勢を繰り返すことが要求され、普段土起こし器を使用していないような作業者にとって作業が重労働になるとともに土起こし作業が非効率的になってしまう欠点があった。また、住宅に隣接する庭先などで使用する状況においては、収納空間も限られていること多く、従来の土起こし器具において、足踏部は長柄部の中心軸から外側に突出して設けられているため、収納時に余分な収納空間を占有してしまう欠点があった。
【０００６】
したがって、従来の土起こし器具による土起こし作業に慣れていない作業者が畑を耕す際に、作業者が腰を屈めることなく、すなわち作業者がほぼ直立姿勢を維持したまま作業者の足の踏み込み動作のみで土起こし刃の突き刺し作業及び土起こし作業を一連に行えることを可能にするとともに、収納時に余分な収納空間を占有しない土起こし器具を提供することを目的とする。
【課題を解決するための手段】
【０００７】
本発明は、上記課題に鑑み、柄部と、該柄部の下方に設けられた回転軸に回動自在に軸支する土起こし部と、からなり、前記土起こし部は、支持杆と、該支持杆の下方に櫛状に配設された複数の土起こし刃と、該支持杆の上方に形成された第一足踏部と、該第一足踏部の上方に配設された第二足踏部と、前記柄部の前記回転軸に軸支する軸支部を有すること、を特徴とするものである。
【０００８】
また、上述した構成に加え、土起こし刃の先端側は、先細り形状であり、土起こし部の回動方向に対して傾斜面を有することが好ましい。
【０００９】
また、上述した構成に加え、第−足踏部は、支持杆上部の平面形状からなることが好ましい。
【００１０】
また、上述した構成に加え、第二足踏部は、断面略円形状のパイプからなることが好ましい。
【００１１】
また、上述した構成に加え、柄部と第二足踏部とは、同程度の幅を有する水平部と、両垂直部と、からなる略コ字状に形成され、前記柄部の前記両垂直部と前記第二足踏部の前記両垂直部とが前後方向に並列して当接し、土起こし部が前記柄部に対して前後方向に回動するように軸支することが好ましい。  
【００１２】
また、上述した構成に加え、前記柄部と前記土起こし部とに連結するバネを備え、該バネは、前記柄部の両垂直部と前記土起こし部の両垂直部とが前後方向に並列して当接する状態に復帰させる方向に付勢力を有することが好ましい。
【発明の効果】
【００１３】
請求項１記載の発明によれば、作業者が腰を屈めることなく、すなわちおおよそ直立した姿勢の状態のまま、足を踏み込む動作のみで土起こしをすることが可能である。従って、比較的楽に土起こし作業を行うことができる。
【００１４】
請求項２記載の発明によれば、土との摩擦を減らして地面に突き刺しやすくすることで、慣れていない作業者にも容易に土を起こしやすくすることができるとともに、傾斜面と傾斜面との稜線が切り刃として機能し雑草などの根切り効果も期待することが可能である。
【００１５】
請求項３記載の発明によれば、突き刺し作業時において第一足踏部が足裏にフィットし、土起こし部がみだりに回動するのを防ぐとともに足の踏み込みを容易にすることが可能である。  
【００１６】
請求項４記載の発明によれば、土起こし作業時において第二足踏部が回動した際に足裏にフィットし、作業者が足で踏みやすくすることが可能である。
【００１７】
請求項５記載の発明によれば、柄部が、土起こし部の回動方向を制御するストッパーとなり、柄部又は土起こし部にストッパー機構を有する部材を新たに設ける必要がなく、安価に製造することが可能である。
【００１８】
請求項６記載の発明によれば、土起こし部に対して負荷の掛かっていない状態において、柄部と土起こし部とがバネによって平行に保持することで土起こし部を突き刺し作業でき得る状態に自然と復帰させることができるとともに、保管に際しては余分な収納空間を使わずに収納することが可能である。
【図面の簡単な説明】
【００１９】
【図１】本発明の実施形態に係る土起こし器具の一例を示す斜視図である。
【図２】図１の背面図である。
【図３】図１の土起こし部付近の部分拡大側面図である。
【図４】本実施形態に係る土起こし器具の(a)突き刺し作業、及び、(b、c)土起こし作業を示す概念図である。
【発明を実施するための形態】
【００２０】
本発明の実施形態について図面に基づいて詳細に説明する。
【００２１】
（実施形態）
本発明は、図１に示すように、柄部２０と、該柄部２０の下端に回動自在に軸支される土起こし部１０と、を主な構成要素としてなる土起こし器具１である。
【００２２】
土起こし部１０は、支持杆１１と、支持杆１１に櫛状に下方へ配設される複数の土起こし刃１２、１２と、支持杆１１上部に形成された第一足踏部１３と、該第一足踏部１３の上方に配設された第二足踏部１４と、回転軸２１、２１に軸支される軸支部１５、１５と、を備えるものである（図２参照）。
【００２３】
柄部２０は、正面から見て、水平部２０ａと水平部の両端から垂直方向に延長する両側の垂直部２０ｂ、２０ｂとを備える略コ字状に折曲形成された金属パイプからなり、その略コ字状の下方（開放端側）に、土起こし部１０の軸支部１５、１５を回動自在に軸支する回転軸２１、２１を有している（図１、２参照）。
【００２４】
この水平部２０ａと垂直部２０ｂ、２０ｂとの接続部分は、角を丸めた形状としている。図示しないが、この水平部２０ａ自体が湾曲したものでもよく、また、柄部２０が略コ字状ではなく、水平部と１つの垂直部とからなる略Ｔ字状のものやその他の形態でもよい。
【００２５】
支持杆１１は、略角柱体の金属パイプから形成され、その略角柱体の下方の面に複数の土起こし刃１２、１２の基端が並列に固定され、複数の土起こし刃１２、１２は櫛状に配設される。また、この支持杆１１は、この土起こし刃１２、１２の基端を固定した面に対して反対側である支持杆１１の上方（上部）の面に形成された第一足踏部１３を有し、さらに、支持杆１１から延設され、柄部２０の先端側の回転軸２１、２１に回動自在に軸支する軸支部１５、１５を有する。また、この支持杆１１の上方（上部）に形成された第一足踏部１３の上方に向けて水平部１４ａと水平部１４ａの両端から垂直方向に延長する両側の垂直部１４ｂ、１４ｂとからなる第二足踏部１４を配設する。
【００２６】
土起こし刃１２、１２は、地面Ｇに突き刺しやすくするために先端側が先細り形状であり、地面Ｇに突き刺しやすいとともに土中で回動しやすくするように土起こし部１０の回動方向に対して傾斜面１２ａ、１２ａを有することが好ましい。
【００２７】
第一足踏部１３は、下方に配設された土起こし刃１２、１２がある支持杆１１上部に形成され、略角柱体の一面を利用して平面形状にすることで、突き刺し作業時において土起こし部１０がみだりに回動するのを防ぐとともに足の踏み込みを容易に行うことが可能である。
【００２８】
第二足踏部１４は、正面から見て略コ字状に折曲形成された断面略円形の金属パイプからなり、その略コ字状の開放部側を支持杆１１上の第一足踏部１３の両端付近に固定して第一足踏部１３の上方に延長して配設され、この略円筒状の金属パイプを利用して曲面形状を有することで、土起こし作業時に第二足踏部１４が回動した際にも足で踏みやすくすることが可能である。
【００２９】
軸支部１５、１５は、回転軸２１、２１近傍に第一足踏部１３が配置されるように支持杆１１から柄部２０の外側面に当接する位置に延設して設ける。
【００３０】
柄部２０は、図３に示すように、第二足踏部１４と同程度の幅を有する略コ字状で形成し、かつ、柄部２０の垂直部２０ｂ、２０ｂと第二足踏部１４の垂直部１４ｂ、１４ｂとが前後方向に並列して当接するようにしてある。この軸支部１５、１５で回動軸２１に軸支することで、柄部２０を、土起こし部１０の回動方向を制御するストッパーとして機能させることができ、柄部２０又は土起こし部１０にストッパー機構を有する部材を新たに設ける必要がなく、安価に製造することが可能である。なお、前後方向とは図３の左右方向を意味する。
【００３１】
また、この柄部２０には、支持杆１１と柄部２０との間にバネ２２を備えている。このバネ２２は土起こし部１０と柄部２０とが平行になるように復帰する方向に付勢力を有することで、土起こし部１０に負荷が掛かっていない自然状態において、柄部２０の垂直部２０ｂ、２０ｂと第二足踏部１４の垂直部１４ｂ、１４ｂとが前後方向に並列して当接した状態に復帰させることで突き刺し作業でき得る状態にすることが可能であり、収納時においては、余分な収納空間を使わずに収納することが可能である。
【００３２】
次に、上述した構成による土起こし器具１による作業工程（S1−S4）を図４に基づいて詳細に説明する。
【００３３】
（S1：突き刺し作業）まず、作業者は、土起こし器具１の柄部２０を把持して、土を起こしを行う場所の上方に運び、地面Ｇに対して略垂直方向に土起こし器具１を保持する(図４(a)参照)。
【００３４】
（S2：突き刺し作業）この略垂直方向に保持された土起こし器具１を、作業者が第一足踏部１３を地面Ｇ方向（矢印方向Ａ）に足で踏み込むことで、土起こし刃１２、１２を地面Ｇより下方（矢印方向Ｂ）に突き刺す(図４(a)参照)。
【００３５】
（S3：土起こし作業）そして、第二足踏部１４を踏み込みやすくするために作業者側に柄部２０を手前側（矢印方向Ｃ）に若干倒す（図４(b)参照）。
【００３６】
（S4：土起こし作業）その後、第二足踏部１４を地面Ｇの方向（矢印方向Ｄ）に踏み込むことで、地面Ｇに突き刺された土起こし刃１２、１２が回動軸２１、２１回りに回動し、土起こし刃１２、１２より前方にある土を地面Ｇより上方（矢印方向Ｅ）に起こす（図４(c)参照）。
【００３７】
したがって、上述した土起こし刃１２、１２の突き刺し作業（S1、S2）及び土起こし刃１２、１２の土起こし作業（S3、S4）の作業工程において、作業者が腰を屈めることなく、すなわちおおよそ直立した姿勢を維持したまま、足を踏み込む動作のみで土起こしをすることができ、S1からS4の一連の作業工程を所定の範囲内で繰り返し行うことで畑を耕すことができる。
【００３８】
また、土起こし刃１２、１２の先端側には、回動方向に対して傾斜面１２ａ、１２ａを有することで、土との摩擦を減らして土起こし部１０の土起こし刃１２、１２の突き刺し動作及び土起こし部１０の回動動作を容易にし、土起こし作業に慣れていない作業者にも容易に土を起こしすることが可能であるとともに、雑草などの根切り効果も期待することができる。
【符号の説明】
【００３９】
1…土起こし器具、10…土起こし部、11…支持杆、12…土起こし刃、12a…傾斜面、13…第一足踏部、14…第二足踏部、14a…水平部、14b…垂直部、15…軸支部、20…柄部、20a…水平部、20b…垂直部、21…回動軸、22…バネ、Ａ…第一足踏部の足踏み方向、Ｂ…土起こし刃の突き刺し方向、Ｃ…柄部の傾斜方向、Ｄ…第二足踏部の足踏み方向、Ｅ…土起こし部の回動方向、Ｇ…地面
【図１】
2018019601.tif 000003
【図２】
2018019601.tif 000004
【図３】
2018019601.tif 000005
【図４】
2018019601.tif 000006